(57)【要約】【課題】撮像素子で被写体光を露光させつつ、ファインダーで被写体を確認できる構成において、電源ＯＦＦ時に太陽光によるＳＨ羽根や撮像素子へのダメージを防止することを可能にした電子撮像装置を提供すること。【解決手段】第二の遮光板をＳＨユニット開口部を覆う位置まで駆動する第二の遮光板駆動ユニットをミラーボックスの下面に配置し、電源ＯＦＦ時に第二の遮光板を駆動して太陽光がＳＨ羽根や撮像素子へ入射することを防止する。【選択図】  図５
2015225189.tif 000002
【特許請求の範囲】
【請求項１】
被写体光を撮像素子と他方へ分離する半透過ミラー（２０３）を回動可能に備えた電子撮像装置において、
半透過ミラー（２０３）を保持し、被写体光が通過する開口部（２０４−ｆ）を有する半透過ミラー保持枠（２０４）と、
半透過ミラー保持枠（２０４）を回動可能に保持するミラーボックス（２００）と、
半透過ミラー保持枠（２０４）の被写体側先端近傍に回転中心を備える第一の遮光部材（２０５）と、
第一の遮光部材（２０５）と半透過ミラー保持枠（２０４）とを回転により開く方向へ付勢する付勢バネ（２０６）と、
ミラーボックス内壁に撮影光軸よりも上側であって、第一の遮光部材（２０５）と当接可能な位置に突出した第一の凸部（３００）と、
ミラーボックス（２００）の下面近傍であって、ミラーボックス（２００）の撮像素子側端部近傍に回動自在に配置された第二の遮光部材（４０１）と、を備え
半透過ミラー保持枠（２０４）と第一の遮光部材（２０５）は、撮影待機時に撮影光束中に配置された第一の位置（ミラーダウン位置）と、撮影時に撮影光束から退避した第二の位置（ミラーアップ位置）とに回動可能および保持可能に構成されており、
第二の遮光部材（４０１）は、撮影待機時に撮影光束から退避した第一の位置（収納位置）と、電源ＯＦＦ時に半透過ミラー保持枠（２０４）の開口部（２０４−ｆ）を通過する被写体光を遮光する第二の位置（遮光位置）とに回動可能および保持可能に構成されており、
ミラーダウン位置では、半透過ミラー保持枠（２０４）と第一の遮光部材（２０５）は付勢バネ（２０６）による付勢力で互いに所定の領域（２０４−ｅ、２０５−ｃ）で当接した位置で保持され、
ミラーアップ位置では、第一の遮光部材（２０５）はミラーボックス内壁に設けられた第一の凸部（３００）と回転中心よりも被写体側の領域（２０５−ｄ）で当接した状態で保持されることを特徴とする電子撮像装置。
【請求項２】
電源ＯＦＦ操作がなされた場合に、半透過ミラー保持枠（２０４）と第一の遮光部材（２０５）がミラーアップ位置に駆動された後、第二の遮光部材（４０１）が遮光位置へと駆動され、第二の遮光部材（４０１）が遮光位置へと駆動された後、半透過ミラー保持枠（２０４）と第一の遮光部材（２０５）がミラーダウン位置に駆動されることを特徴とする請求項１に記載の電子撮像装置。
【請求項３】
第二の遮光部材（４０１）の回転軸近傍には切欠き形状が設けられていることを特徴とする請求項１に記載の電子撮像装置。
【請求項４】
第二の遮光部材（４０１）の先端幅は回転中心近傍の幅よりも狭いことを特徴とする請求項１に記載の電子撮像装置。
【請求項５】
第二の遮光部材（４０１）を駆動する駆動源はミラーボックス（２００）の下面に配置されていることを特徴とする請求項１に記載の電子撮像装置。
【請求項６】
電源ＯＦＦ時に半透過ミラー保持枠（２０４）と第一の遮光部材（２０５）がミラーアップ位置に駆動される速度は、撮影時に半透過ミラー保持枠（２０４）と第一の遮光部材（２０５）がミラーアップ位置に駆動される速度よりも遅い速度であることを特徴とする請求項１又は請求項２に記載の電子撮像装置。
【発明の詳細な説明】
【技術分野】
【０００１】
本発明は、電子撮像装置に関し、特に反射部材によって撮影光を分割するものに関するものである。
【背景技術】
【０００２】
従来、撮像素子で被写体光を露光させつつ、ファインダーで被写体を確認できる構造として、半透過ミラーを撮影光路中に配置し、一部の光を撮像素子へ透過させ、残りの光をファインダーへ反射させる構造が提案させれている。
【０００３】
特許文献１では、半透過ミラーの保持枠先端を回転軸とする遮光部材が、トグルバネによりミラーアップ位置では半透過ミラー保持枠と接近する位置に駆動され、ミラーダウン位置では半透過ミラー保持枠から離れる位置に駆動される構造が開示されている。
【先行技術文献】
【特許文献】
【０００４】
【特許文献１】特開平１１−２９５８１０号公報
【発明の概要】
【発明が解決しようとする課題】
【０００５】
しかしながら、上述の特許文献に開示された従来技術では、電源ＯＦＦ時にも半透過ミラーを通して太陽光が入射可能であり、太陽光が入射するとＳＨ羽根や撮像素子がダメージを受けてしまう可能性があった。
【０００６】
そこで、本発明の目的は、撮像素子で被写体光を露光させつつ、ファインダーで被写体を確認できる構成において、電源ＯＦＦ時に太陽光によるＳＨ羽根や撮像素子へのダメージを防止する電子撮像装置を提供することである。
【課題を解決するための手段】
【０００７】
上記目的を達成するために、請求項１に記載の本発明では、被写体光を撮像素子と他方へ分離する半透過ミラー２０３を回動可能に備えた電子撮像装置において、半透過ミラー２０３を保持し、被写体光が通過する開口部２０４−ｆを有する半透過ミラー保持枠２０４と、半透過ミラー保持枠２０４を回動可能に保持するミラーボックス２００と、半透過ミラー保持枠２０４の被写体側先端近傍に回転中心を備える第一の遮光部材２０５と、第一の遮光部材２０５と半透過ミラー保持枠２０４とを回転により開く方向へ付勢する付勢バネ２０６と、ミラーボックス内壁に撮影光軸よりも上側であって、第一の遮光部材２０５と当接可能な位置に突出した第一の凸部３００と、ミラーボックス２００の下面近傍であって、ミラーボックス２００の撮像素子側端部近傍に回動自在に配置された第二の遮光部材４０１とを備え、半透過ミラー保持枠２０４と第一の遮光部材２０５は、撮影待機時に撮影光束中に配置された第一の位置（ミラーダウン位置）と、撮影時に撮影光束から退避した第二の位置（ミラーアップ位置）とに回動可能および保持可能に構成されており、第二の遮光部材４０１は、撮影待機時に撮影光束から退避した第一の位置（収納位置）と、電源ＯＦＦ時に半透過ミラー保持枠２０４の開口部２０４−ｆを通過する被写体光を遮光する第二の位置（遮光位置）とに回動可能および保持可能に構成されており、ミラーダウン位置では、半透過ミラー保持枠２０４と第一の遮光部材２０５は付勢バネ２０６による付勢力で互いに所定の領域２０４−ｅ、２０５−ｃで当接した位置で保持され、
ミラーアップ位置では、第一の遮光部材２０５はミラーボックス内壁に設けられた第一の凸部３００と回転中心よりも被写体側の領域２０５−ｄで当接した状態で保持されることを特徴としている。
【０００８】
請求項２に記載の本発明では、請求項１において、電源ＯＦＦ操作がなされた場合に、半透過ミラー保持枠２０４と第一の遮光部材２０５がミラーアップ位置に駆動された後、第二の遮光部材４０１が遮光位置へと駆動され、第二の遮光部材４０１が遮光位置へと駆動された後、半透過ミラー保持枠２０４と第一の遮光部材２０５がミラーダウン位置に駆動されることを特徴としている。
【０００９】
請求項３に記載の本発明では、請求項１において、第二の遮光部材４０１の回転軸近傍には切欠き形状が設けられていることを特徴としている。
【００１０】
請求項４に記載の本発明では、請求項１において、第二の遮光部材４０１の先端幅は回転中心近傍の幅よりも狭いことを特徴としている。
【００１１】
請求項５に記載の本発明では、請求項１において、第二の遮光部材４０１を駆動する駆動源はミラーボックス２００の下面に配置されていることを特徴としている。
【００１２】
請求項６に記載の本発明では、請求項１および請求項２において、電源ＯＦＦ時に半透過ミラー保持枠２０４と第一の遮光部材２０５がミラーアップ位置に駆動される速度は、撮影時に半透過ミラー保持枠２０４と第一の遮光部材２０５がミラーアップ位置に駆動される速度よりも遅い速度であることを特徴としている。
【発明の効果】
【００１３】
本発明によれば、撮像素子で被写体光を露光させつつ、ファインダーで被写体を確認できる構成であっても、電源ＯＦＦ時に太陽光によるＳＨ羽根や撮像素子へのダメージを防止することを可能にした電子撮像装置をを提供することができる。
【図面の簡単な説明】
【００１４】
【図１】（ａ）は本発明を適用した電子撮像装置の正面側斜視図である。（ｂ）は本発明を適用した電子撮像装置の背面側斜視図である。
【図２】本発明を適用した電子撮像装置の閃光装置が使用位置にある図である。
【図３】本発明を適用した電子撮像装置のブロック図である。
【図４】本発明を適用したミラーボックスユニットの斜視図である。
【図５】本発明を適用したミラーボックス内部品と撮像素子の側面図である。
【図６（ａ）】本発明を適用したミラーユニットの撮影光軸側からみた斜視図である。
【図６（ｂ）】本発明を適用したミラーユニットの撮影光軸逆側からみた斜視図である。
【図７（ａ）】本発明を適用したミラーユニットのダウン位置側面図である。
【図７（ｂ）】本発明を適用したミラーユニットのアップ位置近傍の側面図である。
【図７（ｃ）】本発明を適用したミラーユニットのアップ位置側面図である。
【図８（ａ）】本発明を適用したミラーユニットのダウン位置側面図である。
【図８（ｂ）】本発明を適用したミラーユニットのアップ位置近傍の側面図である。
【図８（ｃ）】本発明を適用したミラーユニットのアップ位置側面図である。
【図８（ｄ）】本発明を適用したミラーユニットのアップ位置側面図である。
【図８（ｅ）】本発明を適用したミラーユニットのアップ位置側面図である。
【図９】本発明を適用したミラーユニットと第二の遮光板を示す斜視図である。
【図１０】（ａ）は本発明を適用した電子撮像装置の電源ＯＦＦ時のフローチャートである。（ｂ）は本発明を適用した電子撮像装置の電源ＯＮ時のフローチャートである。
【発明を実施するための形態】
【００１５】
以下に、本発明の好ましい実施の形態を、添付の図面に基づいて詳細に説明する。
【実施例１】
【００１６】
以下、図１から図３を参照して、デジタル一眼レフカメラの動作概略について説明する。図１は本発明を適用したデジタル一眼レフカメラの外観斜視図である。
図２は本発明を適用したデジタル一眼レフカメラの閃光ユニットが発光位置へ移動した外観斜視図である。図３は本実施例におけるデジタル一眼レフカメラのブロック図である。
【００１７】
なお、本実施例ではレンズ着脱可能なデジタル一眼レフを例示するが本発明はこれに限定されるものでは無く、撮影位置と撮影退避位置とに移動可能な半透過ミラーを有する撮像装置であれば適用可能である。
【００１８】
本実施例のデジタル一眼レフカメラでは後述するように、ミラーボックス下に、所謂位相差ＡＦユニットを備えておらず、位相差ＡＦユニットに被写体光を導光するための反射鏡も備えていない。ミラーユニット１１２は半透過ミラーを備えており、撮影光学系を透過してきた被写体光の一部を透過し、不図示の撮像素子に導光させ、残りの被写体光をファインダーユニット１１３に反射させて撮影者が被写体光を観察可能に構成されている。
【００１９】
カメラ本体１００の上面外装カバー１０１に設けられた主電源スイッチ１０７がＯＮ位置へ操作されると、カメラマイコン１０は所定のシーケンスによりカメラを起動する。
【００２０】
カメラマイコン１０は操作検出回路１２により操作部材の操作を検出すると、対応する設定を行う。例えば、撮影モードダイヤル１０８が操作され撮影モードが選択されると、選択された撮影モードに対応したシャッタースピードと絞りとの組み合わせを決定するプログラム線図を設定する。また電子ダイヤル１０５が操作されると、露出補正などの設定を行う。ＩＳＯ感度設定ボタン１０６が操作されると、ＩＳＯ感度条件を設定する。
【００２１】
撮影モードダイヤル１０８で自動設定モードが選択された場合における、一連の撮影動作を述べる。操作検出回路１２によりレリーズボタン１０４が第一の位置まで押し込まれたことが検知されると、カメラマイコン１０は撮影条件制御回路１３を駆動し、適切なシャッタースピードと絞り値を決定するために、ファインダーユニット１１３近辺に設けられた不図示の測光センサーにより被写体光を測光する。或いは半透過ミラーを透過して撮像素子に入射した被写体光を測光してもよい。
【００２２】
得られた測光結果から被写体光が所定の輝度よりも低いと判断されると、カメラマイコン１０はモーター制御回路１４を駆動し、閃光ユニット１０３を発光位置まで移動させるべく不図示のモーターを駆動し、回転運動により所定の位置まで移動する（図２に示される位置）。
【００２３】
操作検出回路１２によりレリーズボタン１０４が第二の位置まで押し込まれたことが検知されると、不図示の撮像素子に被写体光が到達するように、カメラマイコン１０はモーター制御回路１４を駆動し、ミラーユニット１１２を所定の位置に退避させ、閃光制御回路１１を駆動し、所定のタイミングで発光させ被写体に適切な光を照射させる。
【００２４】
撮像素子に被写体光が到達した状態でカメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００２５】
カメラマイコン１０は記録処理回路１７を駆動することで、得られた撮影画像データを不図示のメモリーに記録する。撮影者が不図示の画像再生ボタンを操作すると、カメラマイコン１０は再生処理回路１８を駆動し、カメラ背面外装カバー１１１に設けられた表示装置１１０にメモリーに保存されている撮影画像を表示させる。
【００２６】
１０９はアクセサリーシューであり、外部ストロボなどの外部アクセサリーを装着し、接点部でカメラ内部の回路と接続されることで装着された外部アクセサリーと通信接続することができる。
【００２７】
図４は本発明を適用したデジタル一眼レフカメラのミラーボックスユニット斜視図である。ミラーボックス２００の側面にはミラーユニット１１２を駆動する公知のミラー駆動ユニット２０１が固定されている。ミラー駆動ユニット２０１はモーター、不図示のギア、バネ、ミラーユニット駆動レバーなどで構成されている。ミラーボックス２００の上部には不図示のファインダーユニットが固定される。ファインダーユニットに被写体光の一部を反射させるミラーユニット１１２は、半透過ミラー２０３、半透過ミラー保持枠２０４、第一の遮光板２０５、遮光板付勢バネ２０６から構成されている。半透過ミラー２０３は半透過ミラー保持枠２０４に不図示の両面テープで固定されている。なお、半透過ミラー２０３の半透過ミラー保持枠２０４への固定方法は充分な強度があればどのような方法であっても良い。ミラーボックス２００の内壁には有害反射光防止のために公知の技術である反射防止シート２０７が貼りつけられている。
【００２８】
なお、反射防止シート２０７は本発明に必須の構成要素では無く、反射防止塗装など、反射防止構造が採用されていることが望ましいが必要に応じて設けられていればよい。ミラーボックス２００下面には後述する第二の遮光板４０１が配置されており、撮影者側の端部を回転中心として回動可能に構成されている。ミラーユニット１１２は撮影時には衝撃吸収部材２０８に衝突しアップ位置に保持される。
【００２９】
図５はミラーボックス内側の構造物と撮像素子の側面図である。半透過ミラー２０３が固定された半透過ミラー保持枠２０４は保持枠回転軸２０４−ａを回転中心として、撮影者が被写体光を観察する第一の位置（以降、ミラーダウン位置という）と撮影時に撮影光束から退避している第二の位置（以降、ミラーアップ位置という）とに回動自在に構成され、ミラーダウン位置とミラーアップ位置にそれぞれ保持可能に構成されている。
【００３０】
半透過ミラー保持枠２０４は駆動軸２０４−ｂを不図示のミラーユニット駆動レバーとミラーユニット駆動バネにより駆動されることでミラーダウン位置、ミラーアップ位置に回動可能、かつ保持可能に構成されている。ミラーボックス２００の内面側壁の少なくとも一方にはアップ位置駆動ピン３００、ダウンバウンド防止ピン３０１が設けられている。アップ位置駆動ピン３００、ダウンバウンド防止ピン３０１の作用については後述する。
【００３１】
第一の遮光板２０５はミラーユニット１１２の動作への影響を少なくするため、軽量で強度のある金属で作成されている。また、第一の遮光板２０５表裏に有害光反射防止シート２０５−ａ、２０５−ｂが貼り付けられており、合焦時、撮影時の有害光が反射することを低減させている。第一の遮光板２０５の撮像素子側先端の幅は、半透過ミラー保持枠２０４に設けられた開口部を覆えるだけの幅があればよく、回転中心近辺の幅よりも狭くしており、先端部の荷重を少なくしている。なお、材質はミラーユニット１１２の駆動に影響を与えない程度のものであれば、何であってもよい。反射防止シートも、反射防止塗装や反射防止形状（例えば山谷の連続形状）であってもよい。
【００３２】
半透過ミラー保持枠２０４の被写体側先端近辺には第一の遮光板２０５の回転中心となる遮光板回転軸２０４−ｃが設けられており、第一の遮光板２０５が回動可能に取り付けられる。また、第一の遮光板２０５は遮光板回転軸を中心に半透過ミラー保持枠２０４に対して回動可能な状態で、半透過ミラー保持枠２０４とともに半透過ミラー保持枠２０４の回転軸２０４−ａを中心に回動可能に構成されている。
【００３３】
第一の遮光板２０５は付勢バネ２０６により半透過ミラー保持枠２０４から離れる（開く）方向に付勢されている。付勢バネ２０６は巻線部を遮光板回転軸２０４−ｃに配置し、一端は半透過ミラー保持枠２０４と当接し、他端が第一の遮光板２０５に当接している。付勢バネ２０６は片側の遮光板回転軸２０４−ｃ近辺にあればよいが、両側にあってもよい。ミラーユニット１１２がミラーダウン位置に配置されている時には、付勢バネ２０６の付勢力により半透過ミラー保持枠２０４から離れた（開いた）状態で第一の遮光板２０５が保持される（図５の状態）。
【００３４】
ミラーユニット１１２がミラーダウン位置に配置されている時には、半透過ミラー保持枠２０４に設けられた開口部２０４−ｆから、半透過ミラー２０３を透過した被写体光が撮像素子３０２に入射可能な状態となっている。このとき、第一の遮光板２０５に有害光が反射すると画像品質が低下し、合焦精度に影響するが、有害光反射防止シート２０５−ｂにより、有害反射光を低減することが可能である。更に、ミラーユニット１１２がミラーダウン位置に配置されている時に、半透過ミラー保持枠２０４の被写体側先端とミラーボックス２００の下面との間から被写体光が入射すると撮像素子３０２で得られる画像品質が低下し、合焦精度に影響するが、第一の遮光板２０５が有害光を遮光するため撮像素子３０２で得られる画像品質が低下することを防止できる。
【００３５】
撮像素子３０２から得られた画像データを利用して公知の技術である所謂コントラストＡＦや、撮像面位相差ＡＦなどで合焦動作を行うことが可能である。また、測光は撮像素子、或いは設けられているなら専用測光素子を用いて行うことが可能である。
【００３６】
本発明では、半透過ミラー２０３を透過した被写体光を撮像素子３０２で電気信号に変換し、合焦動作を行う。そのため、従来ミラーボックス２００の下面に設けられていた位相差ＡＦユニットが不要となる。ミラーダウン位置で半透過ミラー保持枠２０４の開口部２０４−ｆを透過した被写体光により画像データを得るため、開口部サイズにより合焦可能な範囲が決まる。本発明では特に合焦可能な範囲による限定は受けないが、撮影サイズの５０％以上の開口部サイズが設けられていることが合焦可能領域が広く、使い勝手が良いため望ましい。半透過ミラー２０３の大きさが小さくなると、半透過ミラー保持枠２０４の開口部２０４−ｆの大きさも小さくなるため、半透過ミラー２０３の大きさは極力大きい方が撮影者にとって使い勝手が良い。
【００３７】
図６はミラーユニット１１２の斜視図である。半透過ミラー保持枠２０４の側面にはミラーボックス２００内面に設けられたミラー位置決め部３０３（図７参照）と当接するミラー位置決め当接面２０４−ｄが設けられており、ミラーダウン位置での半透過ミラー２０３の角度を所定の角度に維持するように構成されている。半透過ミラー保持枠２０４の被写体側先端には第一の遮光板２０５と当接し、付勢バネ２０６の付勢力により第一の遮光板２０５が離れた（開いた）状態での位置が保持されるための保持枠当接面２０４−ｅが設けられている。第一の遮光板２０５には対応する部分として、遮光板当接面２０５−ｃが設けられている。遮光板当接面２０５−ｃは第一の遮光板２０５の他の領域とは異なる平面として設けられている。これは、半透過ミラー保持０４の先端部の肉厚を確保して強度を確保するためである。遮光板当接面２０５−ｃ以外は、ミラーアップ位置で極力半透過ミラー保持２０４に近い位置に配置可能な位置に設定している。
【００３８】
なお、本実施例では遮光板当接面２０５−ｃが他の領域とは異なる平面としているが、本発明はこれに限定されるものでは無く同じ位置であっても、ミラーアップ位置で半透過ミラー保持枠２０４の開口部２０４−ｆを覆えればよい。
【００３９】
第一の遮光板２０５の回転中心近辺にはアップ位置駆動ピン３００、ダウンバウンド防止ピン３０１とに当接するピン当接部２０５−ｄが撮影光軸に対して略対称な位置に設けられている。ピン当接部２０５−ｄは第一の遮光板２０５の両側面に設けられた強度を上げるたに設けられている壁部２０５−ｅに設けられている。また、ピン当接部２０５−ｄは半透過ミラー保持枠２０４に設けられた遮光板回転軸２０４−ｃよりも撮影光軸から遠い方向へ伸長する面として設けられている。なお、ピン当接部２０５−ｄが壁部２０５−ｅに設けられるとしているが、本発明において必須では無く、遮光板当接面２０５−ｃから設けられていても良い。ピン当接部２０５−ｄのファインダー側の面がアップ位置駆動ピン３００と当接し、ファインダー逆側の面がダウンバウンド防止ピン３０１と当接する。付勢バネ２０６はピン当接部２０５−ｄのファインダー側の面に当接するように配置されている。
【００４０】
図７はミラーユニット１１２の動作を示した側面図である。図７（ａ）はミラーダウン位置であり、図５を逆側から見た側面図である。図７（ｂ）は第一の遮光板２０５のピン当接部２０５−ｄがアップ位置駆動ピン３００と当接し始め、あるいは離れ始めを示している側面図である。図７（ｃ）は露光時の退避状態であるミラーアップ位置を示している。図７を用いてミラーユニット１１２の動作を説明する。
【００４１】
ミラーダウン位置では半透過ミラー保持枠２０４はミラー位置決め部３０３と位置決め受け面２０４−ｄとが当接した状態で所定の角度を維持したまま保持されている。ミラー位置決め部３０３は第一の遮光板２０５の壁部２０５−ｅとの干渉を避ける形状となっているが、撮影光軸との距離を異ならせることで干渉しない配置としても良い。その場合は、第一の遮光板２０５の壁部２０５−ｅが撮影光軸に近い位置に配置される。バウンド防止ピン３０１と第一の遮光板２０５のピン当接部２０５−ｄとは所定の距離離れた位置に配置されており、ミラーダウン位置では当接せずに配置されている。これにより、半透過ミラー２０３で反射された被写体光を撮影者はファインダー光学系を通して正しく認識することが可能となる。
【００４２】
半透過ミラー２０３を透過した被写体光は撮像素子３０２へ入射し、被写体光が電気信号に変換され公知の技術により合焦動作が行われる。撮影者がレリーズボタン１０４を操作すると、前述したカメラ動作により合焦制御、撮影条件設定が行われる。撮影可能となった後に、不図示のミラー駆動レバーにより半透過ミラー保持枠２０４は回動駆動され、ミラーアップ位置へ移動を開始する。第一の遮光板２０５は半透過ミラー保持枠２０４と共に移動し、ミラーアップ位置手前でアップ位置駆動ピン３００と第一の遮光板２０５のピン当接部２０５−ｄとが当接し始める（図７（ｂ）の状態）。アップ位置駆動ピン３００と第一の遮光板２０５のピン当接部２０５−ｄとが当接する場所は、第一の遮光板２０５の回転中心よりも被写体側であり、第一の遮光板２０５はアップ位置駆動ピン３００から半透過ミラー保持枠２０４に近づく（閉じる）方向の回転駆動力を受け、第一の遮光板２０５が半透過ミラー保持枠２０４に対して近づく（閉じる）状態に駆動される。なお、実施例の絵では付勢バネ２０６の第一の遮光板２０５側の端部が第一の遮光板２０５に干渉した絵となっているが、実際にはピン当接部２０５−ｄと接する位置に端部が当接した位置に配置されている。
【００４３】
ミラーユニット駆動レバーにより半透過ミラー保持枠２０４がミラーアップ位置へ駆動されると半透過ミラー保持枠２０４の被写体側先端が衝撃干渉部材２０８と衝突し、所定の圧縮位置で保持される（図７（ｃ）の状態）。このとき第一の遮光板２０５はアップ位置駆動ピン３００により半透過ミラー保持枠２０４に対して最も近づく（閉じる）状態に保持されている。
【００４４】
ミラーユニット１１２がミラーアップ位置へ駆動された後、撮像素子３０２による撮影データ取得（露光）が行われる。このとき、第一の遮光板２０５は半透過ミラー保持枠２０４の開口部２０４−ｆを覆う状態で保持されており、ファインダーからの有害光が撮像素子３０２に到達することを防止している。また、撮影光軸側には反射防止シート２０５−ａが貼り付けられており、撮影光学系を透過した有害光による反射を低減させている。このことにより、露光中の被写体光に有害光が入り込むことを低減することが可能となる。
【００４５】
露光動作後、半透過ミラー保持枠２０４をミラーダウン位置へ移動させる際には、半透過ミラー保持枠２０４が撮影光軸に近づくにつれて、第一の遮光板２０５は半透過ミラー保持枠２０４と共に撮影光軸に近づくためアップ位置駆動ピン３００から離れ始め、付勢バネ２０６の付勢力により半透過ミラー保持枠２０４から離れていく（開いていく）。
【００４６】
ミラーユニット１１２がミラーダウン位置へ移動した際には、第一の遮光板２０５がバウンドして撮影光軸に近づくことが発生し得る。バウンドした場合には、第一の遮光板２０５が半透過ミラー保持枠２０４の回転中心軸２０４−ｃを中心に回転し、半透過ミラー保持枠２０４の保持枠当接部２０４−ｅと第一の遮光板２０５の遮光板当接部２０５−ｃとが離れる。しかし、第一の遮光板２０５のピン当接部２０５−ｄと所定の隙間を開けて設けられているバウンド防止ピン３０１とピン当接部２０５−ｄとが当接し、バウンドを防止することが可能となる。なお、本実施例ではバウンド防止ピン３０１を用いた形態を述べたが、本発明はこれに限定されるものでは無くバウンドが少ない場合にはバウンド防止ピン３０１を設けることは必須ではない。
【００４７】
図８は主電源スイッチ１０７によりカメラの電源がＯＦＦに操作された時の動作を示したミラーユニット１１２と第二の遮光板駆動ユニット４００を示す側面図である。図８（ａ）は撮影待機状態のミラーユニット１１２と第二の遮光板駆動ユニット４００を示す側面図である。第二の遮光板駆動ユニット４００は遮光板駆動モーター４０２、連結ギア４０３、４０４、第二の遮光板４０１、不図示の保持枠などから構成されている。第二の遮光板駆動ユニット４００はミラーボックス２００の下面側に配置されており、従来位相差ＡＦユニットが配置されていた空間に配置されている。
【００４８】
尚、本実施例では上記の構成としたが、本発明はこれに限定されるものでは無く、第二の遮光板４０１を駆動できる構成であれば適用可能である。
【００４９】
図８（ｂ）は撮影者により電源ＯＦＦ操作された後、ミラーユニット１１２がミラーアップ位置に配置された状態を示す側面図である。図８（ｃ）はミラーユニット１１２がミラーアップ状態で、第二の遮光板４０１が遮光位置に配置された状態を示す側面図である。図８（ｄ）は第二の遮光板４０１が遮光位置に配置された状態で、ミラーユニット１１２がミラーダウン位置近傍に配置された状態を示す側面図である。図８（ｅ）は第二の遮光板４０１が遮光位置に配置された状態で、ミラーユニット１１２がミラーダウン位置に配置された状態を示す側面図である。
【００５０】
撮影者によって、主電源スイッチ１０７が操作され、操作検出回路１２により主電源スイッチ１０７が電源ＯＦＦ位置に操作されたことを検出すると、カメラマイコン１０がモーター制御回路１４により、ミラー駆動ユニット２０１のモーターを駆動し、ミラーユニット１１２をミラーアップ位置に駆動する（図８（ｂ）の状態）。ミラーユニット１１２がミラーアップ位置に駆動された後、カメラマイコン１０がモーター制御回路１４により、第二の遮光板駆動モーター４０２を駆動し、連結ギア４０３、４０４と第二の遮光板４０１の回転軸４０１−ａに設けられた歯車の連動により第二の遮光板４０１を回転駆動する。第二の遮光板４０１は不図示のＳＨユニット近傍まで回転駆動され、不図示のＳＨユニット開口部を覆う位置に配置される（図８（ｃ）の状態）。第二の遮光板４０１の先端部には図９に示すように先端逃げ形状４０１−ｃが設けられており、半透過ミラー保持枠２０４の回転中心近傍と第二の遮光板４０１が干渉しないように構成されている。
【００５１】
第二の遮光板４０１がＳＨユニット開口部を覆う位置に配置された後、ミラーユニット１１２がミラーダウン位置へ移動を開始する。ミラーユニット１１２がミラーダウン位置に移動開始すると第一の遮光板２０５が付勢バネ２０６の付勢力により半透過ミラー保持枠２０４から離れる位置へ駆動される。半透過ミラー保持枠２０４と第一の遮光板２０５とが開いた状態でミラーダウン位置へと近づき、第一の遮光板２０５の撮影者側先端が第二の遮光板４０１に近づく（図８（ｄ）の状態）。
【００５２】
第二の遮光板４０１の回転軸４０１−ａ近傍には図９に示すように根元逃げ形状４０１−ｂが設けられており、第一の遮光板２０５の先端と第二の遮光板４０１が干渉しないように構成されている。
【００５３】
ミラーユニット１１２がミラーダウン位置に配置されると、第一の遮光板２０５の先端が第二の遮光板４０１の逃げ部４０１−ｂに入り込んだ状態で保持される（図８（ｅ）の状態）。
【００５４】
第二の遮光板４０１がＳＨユニット開口部を覆う配置となり、半透過ミラー２０３を通過してきた太陽光が不図示のＳＨ羽根や撮像素子３０２に入射することを防止することが可能となる。
【００５５】
次に撮影者によって、主電源スイッチ１０７が操作され、電源がＯＮに操作されたときの動作について述べる。電源ＯＦＦ状態では、ミラーユニット１１２がミラーダウン位置に保持されており、第二の遮光板４０１がＳＨユニットの開口部を覆う位置に配置されている（図８（ｅ）の状態）。
【００５６】
撮影者により主電源スイッチ１０７が操作され、操作検出回路１２により主電源スイッチ１０７が電源ＯＮ位置に操作されたことを検出すると、カメラマイコン１０がモーター制御回路１４により、ミラー駆動ユニット２０１のモーターを駆動し、ミラーユニット１１２をミラーアップ位置に駆動する（図８（ｃ）の状態）。ミラーユニット１１２がミラーアップ位置に駆動された後、カメラマイコン１０がモーター制御回路１４により、第二の遮光板駆動モーター４０２を駆動し、第二の遮光板４０１を回転駆動する。第二の遮光板４０１はミラーボックス２００の下面の収納位置に回転駆動される（図８（ｂ）の状態）。第二の遮光板４０１が収納位置に回転駆動された後、ミラーユニット１１２がミラーダウン位置に駆動され、撮影待機状態となる（図８（ａ）の状態）。
【００５７】
図１０は電源ＯＮと電源ＯＦＦ時のフローチャートである。図１０（ａ）は電源ＯＦＦ時のフローチャートである。図１０（ｂ）は電源ＯＮ時のフローチャートである。第二の遮光板駆動ユニット４００以外の動作は公知のシーケンスで良いので省略する。図１０（ａ）を用いて、電源ＯＦＦ時の動作を述べる。ＳＴＡＲＴは撮影待機状態である。
【００５８】
ＳＴＥＰ−Ａ１で、撮影者により主電源スイッチ１０７が操作されたかを判断する。主電源スイッチ１０７が操作されていないと判断されると撮影待機状態を維持する。主電源スイッチ１０７が操作されたと判断されると、ＳＴＥＰ−Ａ２でミラーユニット１１２がミラーアップ位置に駆動される。この時のミラーユニット１１２の駆動速度は、通常撮影時のミラーユニット１１２の駆動速度よりも遅い速度で駆動される。遅い速度でミラーユニット１１２を駆動すると、駆動時に発生する音を低減することが可能となり、違和感のない動作を行うことが可能となる。しかし、電源ＯＦＦまでの時間を短くすることを優先して、通常撮影時のミラーユニット１１２の駆動速度で駆動してもよい。
【００５９】
ミラーユニット１１２がミラーアップ位置に駆動された後、ＳＴＥＰ−Ａ３で第二の遮光板４０１が大の遮光板駆動モーター４０２により収納位置からＳＨユニット開口部を覆う位置に駆動される。第二の遮光板４０１がＳＨユニット開口部を覆う位置に駆動された後、ＳＴＥＰ−Ａ４でミラーユニット１１２がミラーダウン位置に駆動される。この時のミラーユニット１１２の駆動速度は、通常撮影時のミラーユニット１１２の駆動速度よりも遅い速度で駆動される。遅い速度でミラーユニット１１２を駆動すると、駆動時に発生する音を低減することが可能となり、違和感のない動作を行うことが可能となる。しかし、電源ＯＦＦまでの時間を短くすることを優先して、通常撮影時のミラーユニット１１２の駆動速度で駆動してもよい。ミラーユニット１１２がミラーダウン位置に駆動された後、所定のシーケンスにてカメラの電源がＯＦＦとなる（ＳＴＯＰ）。
【００６０】
図１０（ｂ）を用いて、電源ＯＮ時の動作を述べる。ＳＴＡＲＴは電源ＯＦＦ状態である。ＳＴＥＰ−Ｂ１で、撮影者により主電源スイッチ１０７が操作されたかを判断する。主電源スイッチ１０７が操作されていないと判断されると電源ＯＦＦ状態を維持する。主電源スイッチ１０７が操作されたと判断されると、ＳＴＥＰ−Ｂ２でミラーユニット１１２がミラーアップ位置に駆動される。この時のミラーユニット１１２の駆動速度は通常撮影時のミラーユニット１１２の駆動速度と同等である。通常撮影時と同等の速度でミラーユニット１１２を駆動することで、起動時間が遅れることを最小限に抑えることが可能となり、違和感のない動作を行うことが可能となる。しかし、発生する音を低減させること優先して、通常撮影時のミラーユニット１１２の駆動速度よりも遅い速度で駆動してもよい。
【００６１】
ミラーユニット１１２がミラーアップ位置に駆動された後、ＳＴＥＰ−Ｂ３で第二の遮光板４０１が第二の遮光板駆動モーター４０２により収納位置に回転駆動される。第二の遮光板４０１が収納位置に駆動された後、ＳＴＥＰ−Ｂ４でミラーユニット１１２がミラーダウン位置に駆動される。この時のミラーユニット１１２の駆動速度は通常撮影時のミラーユニット１１２の駆動速度と同等である。通常撮影時と同等の速度でミラーユニット１１２を駆動することで、起動時間が遅れることを最小限に抑えることが可能となり、違和感のない動作を行うことが可能となる。しかし、発生する音を低減させること優先して、通常撮影時のミラーユニット１１２の駆動速度よりも遅い速度で駆動してもよい。ミラーユニット１１２がミラーダウン位置に駆動された後、所定のシーケンスにてカメラの電源がＯＮとなる。
【００６２】
以上、本発明の好ましい実施形態について説明したが、本発明はこれらの実施形態に限定されず、その要旨の範囲内で種々の変形及び変更が可能である。
【符号の説明】
【００６３】
１００  カメラ本体、１０１  上面外装カバー、１０２  前面外装カバー、
１０３  閃光ユニット、１０４  レリーズボタン、１０５  電子ダイヤル、
１０６  ＩＳＯ感度設定ボタン、１０７  主電源スイッチ、
１０８  撮影モードダイヤル、１０９  アクセサリーシュー、１１０  表示装置、
１１１  背面外装カバー、１１２  ミラーユニット、１１３  ファインダーユニット、
２００  ミラーボックス、２０１  ミラー駆動ユニット、
２０２  撮影光学系通信ユニット、２０３  半透過ミラー、
２０４  半透過ミラー保持枠、２０４−ａ  半透過ミラー保持枠回転軸、
２０４−ｂ  半透過ミラー保持枠駆動軸、２０４−ｃ  遮光板回転軸、
２０４−ｄ  ミラー位置決め部材当接面、２０４−ｅ  保持枠当接面、
２０４−ｆ  半透過ミラー保持枠開口部、２０５  遮光板、２０５−ａ反射防止シート、
２０５−ｂ  反射防止シート、２０５−ｃ  遮光板当接面、２０５−ｄ  ピン当接面、
２０５−ｅ遮光板壁部、２０６  付勢バネ、２０７  反射防止シート、
３００  アップ位置駆動ピン、３０１  バウンド防止ピン、３０２  撮像素子、
３０３  ミラー位置決め部、４００  第二の遮光板駆動ユニット、
４０１  第二の遮光板、４０１−ａ  第二の遮光板の回転軸、
４０１−ｂ  第二の遮光板の遮光板逃げ形状、
４０１−ｃ  第二の遮光板の半透過ミラー保持枠逃げ形状、
４０２  第二の遮光板駆動モーター、４０３  ギア、４０４  ギア
【図１】
2015225189.tif 000003
【図２】
2015225189.tif 000004
【図３】
2015225189.tif 000005
【図４】
2015225189.tif 000006
【図５】
2015225189.tif 000007
【図６（ａ）】
2015225189.tif 000008
【図６（ｂ）】
2015225189.tif 000009
【図７（ａ）】
2015225189.tif 000010
【図７（ｂ）】
2015225189.tif 000011
【図７（ｃ）】
2015225189.tif 000012
【図８（ａ）】
2015225189.tif 000013
【図８（ｂ）】
2015225189.tif 000014
【図８（ｃ）】
2015225189.tif 000015
【図８（ｄ）】
2015225189.tif 000016
【図８（ｅ）】
2015225189.tif 000017
【図９】
2015225189.tif 000018
【図１０】
2015225189.tif 000019